(57)【特許請求の範囲】
【請求項１】
複数のたばこ商品を前後方向に配列した状態で収容するマガジン本体と、
前記マガジン本体に前後方向にスライド自在に設けられていて前記たばこ商品を前方に押圧する押圧スライダと、
リール本体と、前記リール本体より引出自在に前記リール本体に収納された線材と、前記リール本体内に設けられ、前記線材を前記リール本体に収納する方向へ弾性力によって付勢する弾性部材と、を有し、前記弾性力により前記押圧スライダを前方に付勢する線材リールと、
を有し、
前記弾性部材の先端に対して、前記線材の一端が連結されており、
前記リール本体には、前記線材が出入する開口孔が形成され、
前記弾性部材の幅寸法は、前記開口孔の開口径よりも大きいマガジンユニット。
【請求項２】
前記線材は、前記リール本体の内部において、円状に巻回されることにより巻回部を形成し、
前記巻回部の接線方向と、前記リール本体からの前記線材の引き出し方向とが一致し、
前記線材は、前記リール本体における前記開口孔の縁部に対して非接触状態で、前記開口孔を通して前記リール本体から引き出される請求項１に記載のマガジンユニット。
【請求項３】
前記開口孔が前記押圧スライダの下部に位置している請求項２に記載のマガジンユニット。
【請求項４】
前記線材リールは、前記リール本体内に回転自在に設けられ、前記線材を巻き取る巻ドラムを有し、
前記弾性部材は、前記線材を巻き取る回転方向に前記巻ドラムを付勢している請求項１ないし３の何れか一項に記載のマガジンユニット。
【請求項５】
前記線材リールは、前記押圧スライダに搭載されていて前記線材の前端が前記マガジン本体の前端近傍に連結されている請求項１ないし４の何れか一項に記載のマガジンユニット。
【請求項６】
前記線材リールは、前記押圧スライダの後部に搭載されている請求項５に記載のマガジンユニット。
【請求項７】
前記マガジン本体の内部前端には、前記たばこ商品を上方に変位させるスロープが形成されており、
前記線材は、前記スロープの内部に挿通されている請求項１ないし６の何れか一項に記載のマガジンユニット。
【請求項８】
前記マガジン本体の底板上面には、前記たばこ商品を支持する左右一対の突条部が形成されており、
前記線材は、左右の前記突条部の間隙に挿通されている請求項１ないし７の何れか一項に記載のマガジンユニット。
【請求項９】
前記押圧スライダは、
前記マガジン本体の底板に対し前後方向にスライド自在に連結された連結部と、
前記連結部より上方に起立し、前記たばこ商品を前方に押圧する押圧部と、
を有し、
前記底板の後部には、前記押圧スライダにおいて前記底板の上面に沿ってスライド移動する部位を係止させることによって、前記押圧スライダを前方移動が規制されたロック状態とするロック部が形成され、
前記押圧部の前面下部には、後方に向けて窪んだ指掛け用の凹部が形成されていることを特徴とする請求項１ないし８の何れか一項に記載のマガジンユニット。
【請求項１０】
前記凹部が前記連結部の前端部よりも前方に位置していることを特徴とする請求項９に記載のマガジンユニット。
【請求項１１】
前記凹部には、上下方向に繰り返される凹凸加工が施されていることを特徴とする請求項９又は１０に記載のマガジンユニット。
【請求項１２】
前記凹凸加工は、それぞれ水平方向に延在し、互いに上下方向に離間している複数条の溝である請求項１１に記載のマガジンユニット。
【請求項１３】
前記押圧部において、前記凹部よりも上方の部分の両側部には、指掛け用の切欠形状部がそれぞれ形成されていることを特徴とする請求項９乃至１２の何れか一項に記載のマガジンユニット。
【請求項１４】
前記押圧部の前面における両側部には、当該前面よりも摩擦係数が大きい材質により構成され、上下方向に延在し、前記たばこ商品に接触する接触部材がそれぞれ設けられていることを特徴とする請求項９乃至１３の何れか一項に記載のマガジンユニット。
【請求項１５】
前記接触部材は、その下部に向けて徐々に、前記押圧部の前面から前方への突出量が大きくなっていることを特徴とする請求項１４に記載のマガジンユニット。
【請求項１６】
前記接触部材は、上下に細長く、前後方向に薄い、正面視矩形状の平板形状に形成され、
前記押圧部の前面には、上下に細長く、下方に向けて徐々に浅くなる、正面視矩形状の配置用凹部が形成され、
前記配置用凹部に前記接触部材が配置されたことにより、前記接触部材はその下部に向けて徐々に前方への突出量が大きくなっていることを特徴とする請求項１５に記載のマガジンユニット。
【発明の詳細な説明】
【技術分野】
【０００１】
本発明は、複数のたばこ商品を前後方向に配列した状態で収容するマガジンユニットに関し、特に、収容されている複数のたばこ商品が前方に付勢されるマガジンユニットに関する。
【背景技術】
【０００２】
現在、いわゆるコンビニエンスストアなどの店舗では、たばこ商品を陳列して販売している。ここで云うたばこ商品とは、実際に喫煙される紙巻たばこではなく、複数の紙巻たばこを収容している直方体状のパッケージ、および複数のパッケージを収容しているカートンを意味している。
【０００３】
たばこ商品を陳列するたばこ陳列システムは、例えば、複数のマガジンユニットと一個のシステムフレームからなる。マガジンユニットは、例えば、無色透明な樹脂により、前後方向に細長い上面開口のボックス状に形成された、トレイである。
【０００４】
マガジンユニットには、立設された状態のたばこ商品が前後方向に配列された状態で上方から収容される。マガジンユニットには、押圧スライダが底面に前後方向にスライド自在に装着されている。
【０００５】
より詳細には、マガジンユニットの底部には、前後方向に細長い開口孔が形成されている。その開口孔の左右両側には上方に突出したリブが形成されている。この一対のリブと開口孔に、押圧スライダが前後方向にスライド自在に装着されている。
【０００６】
押圧スライダの後部には、付勢機構となる巻回された板バネが装着されている。その板バネの一端は、押圧スライダに設けられた板バネの巻回部分から引き出されてマガジンユニットの底部前方に装着されている。
【０００７】
このため、前後方向にスライド自在な押圧スライダが、板バネにより弾性力で前方に付勢されている。従って、マガジンユニットに収容された複数のたばこ商品は、押圧スライダにより最前部に押圧される。
【０００８】
システムフレームは、複数のマガジンユニットを上下左右に配列して保持する。システムフレームは、複数のガイドレールと一個の本体フレームからなる。ガイドレールは、一対でマガジンユニットの両側部を保持する。本体フレームは、例えば、金属棒で立体形状に形成されている。本体フレームの要所に複数のガイドレールが一対ずつ固定されている。
【０００９】
上述のようなたばこ陳列システムでは、例えば、２０個のマガジンユニットが、４段５列などの配列でシステムフレームに装着される。そのマガジンユニットの各々に、例えば、１０個から１３個程度のたばこ商品が収容される。
【００１０】
たばこ商品は、その正面及び背面と、２つの側面と、天面及び底面と、のサイズが相違する直方体状に形成されており、そのうち正面及び背面の面積が最大であり、少なくとも正面及び背面には、銘柄などが表記されている。そして、上述のようなたばこ陳列システムでは、無色透明なマガジンユニットにたばこ商品が立設した状態で収容され、そのたばこ商品の正面又は背面が前側に位置する状態で陳列される。従って、例えば、２０種類のたばこ商品を陳列しながら、各々１０個ずつ収容するといったことが可能である。
【００１１】
たばこ商品を販売するときには、マガジンユニットの最前の位置からたばこ商品を上方に取り出せばよい。たばこ商品が取り出されると、マガジンユニットに収容されているたばこ商品は押圧スライダにより前方に押圧される。このため、マガジンユニットの最前の位置からたばこ商品が取り出されても、その位置にたばこ商品が配置された状態が維持される。
【００１２】
たばこ陳列システムにたばこ商品を補充するときには、システムフレームからマガジンユニットが取り外される。そのマガジンユニットにたばこ商品が収容され、このたばこ商品が収容されたマガジンユニットがシステムフレームに装着される。このため、マガジンユニットをシステムフレームから取り外した状態で、たばこ商品をマガジンユニットに簡易に補充することができる。
【００１３】
上述のようにコイル状の板バネの弾性力を用いて商品を前送りするマガジンユニットが開示されている。従来のマガジンユニットにおいて、板バネは、押圧スライダの後部に搭載されたり（特許文献１）、またはマガジンユニットの前部下面に固定されたりしていた（特許文献２）。これらのいずれの構造においても、板バネの一部分が、板バネの巻回部分から引き出され且つ露出した状態となって、マガジンユニットの前端部と押圧スライダとの間に亘って延在する。
【先行技術文献】
【特許文献】
【００１４】
【特許文献１】特開２０００−０６０６９１号公報
【特許文献２】実公平０７−３６５２３号公報
【発明の概要】
【発明が解決しようとする課題】
【００１５】
上述したいずれのマガジンユニットも、螺旋状に巻回された薄い板バネで押圧スライダを押圧するように構成され、板バネにおいて巻回部分から引き出された部分が、露出した状態で、マガジンユニットの前端部と押圧スライダとの間に亘って延在する。板バネは縁部が鋭利であるため、店員等の作業者がたばこ商品を補充するときには取り扱いに十分に注意する必要があり、迅速な補充作業を行うことが困難であった。
【００１６】
また、マガジンユニットにたばこ商品が補充されたときには、押圧スライダが最後部まで移動して板バネが最大に伸張された緊張状態となる。このような緊張状態の板バネに対して他のマガジンユニット等の物体が衝突すると、板バネに曲折などが発生して弾性復元力が低下する可能性があった。つまり、従来のマガジンユニットの板バネには耐久性に課題があった。
【００１７】
本発明は上述のような課題に鑑みてなされたものであり、安全性と耐久性とが良好なマガジンユニットを提供するものである。
【課題を解決するための手段】
【００１８】
本発明のマガジンユニットは、複数のたばこ商品を前後方向に配列した状態で収容するマガジン本体と、
マガジン本体に前後方向にスライド自在に設けられていてたばこ商品を前方に押圧する押圧スライダと、
リール本体と、リール本体より引出自在にリール本体に収納された線材と、リール本体内に設けられ、線材をリール本体に収納する方向へ弾性力によって付勢する弾性部材と、を有し、弾性力により押圧スライダを前方に付勢する線材リールと、
を有し、
前記弾性部材の先端に対して、前記線材の一端が連結されており、
前記リール本体には、前記線材が出入する開口孔が形成され、
弾性部材の幅寸法は、開口孔の開口径よりも大きい。
【００１９】
従って、本発明のマガジンユニットでは、マガジン本体に、複数のたばこ商品が前後方向にスライド自在に配列した状態で収容される。このように収容された複数のたばこ商品は、線材リールにより前方に付勢されている押圧スライダによって前方に押圧される。この線材リールは、リール本体と、リール本体より引出自在にリール本体に収納された線材と、リール本体内に設けられて線材をリール本体に収納する方向へ弾性力によって付勢する弾性部材と、を有し、その弾性力により押圧スライダを前方に付勢する。このため、螺旋状に巻回された板バネの一部分が、その巻回部分から引き出されるとともに露出状態となることなく、複数のたばこ商品を前方に押圧することができる。
【００２０】
上述のようなマガジンユニットにおいて、線材は、リール本体の内部において、円状に巻回されることにより巻回部を形成し、巻回部の接線方向と、リール本体からの線材の引き出し方向とが一致し、線材は、リール本体における開口孔の縁部に対して非接触状態で、開口孔を通してリール本体から引き出されるようになっていてもよい。
【００２１】
上述のようなマガジンユニットにおいて、線材リールは、リール本体内に回転自在に設けられて線材を巻き取る巻ドラムを有し、弾性部材は、線材を巻き取る回転方向に巻ドラムを付勢していてもよい。
【００２２】
上述のようなマガジンユニットにおいて、線材リールは、押圧スライダに搭載されていて線材の前端がマガジン本体の前端近傍に連結されていてもよい。
【００２３】
上述のようなマガジンユニットにおいて、線材リールは、押圧スライダの後部に搭載されていてもよい。
【００２４】
上述のようなマガジンユニットにおいて、開口孔が押圧スライダの下部に位置していてもよい。  
【００２５】
上述のようなマガジンユニットにおいて、マガジン本体の内部前端には、たばこ商品を上方に変位させるスロープが形成されており、線材は、スロープの内部に挿通されていてもよい。
【００２６】
上述のようなマガジンユニットにおいて、マガジン本体の底板上面には、たばこ商品を支持する左右一対の突条部が形成されており、線材は、左右の突条部の間隙に挿通されていてもよい。
【００２７】
上述のようなマガジンユニットにおいて、押圧スライダは、マガジン本体の底板に対し前後方向にスライド自在に連結された連結部と、連結部より上方に起立し、たばこ商品を前方に押圧する押圧部と、を有し、底板の後部には、押圧スライダにおいて底板の上面に沿ってスライド移動する部位を係止させることによって、押圧スライダを前方移動が規制されたロック状態とするロック部が形成され、押圧部の前面下部には、後方に向けて窪んだ指掛け用の凹部が形成されていてもよい。
【００２８】
上述のようなマガジンユニットにおいて、凹部が連結部の前端部よりも前方に位置していてもよい。
【００２９】
上述のようなマガジンユニットにおいて、凹部には、上下方向に繰り返される凹凸加工が施されていてもよい。
【００３０】
上述のようなマガジンユニットにおいて、凹凸加工は、それぞれ水平方向に延在し、互いに上下方向に離間している複数条の溝であってもよい。
【００３１】
上述のようなマガジンユニットにおいて、押圧部において、凹部よりも上方の部分の両側部には、指掛け用の切欠形状部がそれぞれ形成されていてもよい。
【００３２】
上述のようなマガジンユニットにおいて、押圧部の前面における両側部には、当該前面よりも摩擦係数が大きい材質により構成され、上下方向に延在し、前記たばこ商品に接触する接触部材がそれぞれ設けられていてもよい。
【００３３】
上述のようなマガジンユニットにおいて、接触部材は、その下部に向けて徐々に、押圧部の前面から前方への突出量が大きくなっていてもよい。
【００３４】
上述のようなマガジンユニットにおいて、接触部材は、上下に細長く、前後方向に薄い、正面視矩形状の平板形状に形成され、押圧部の前面には、上下に細長く、下方に向けて徐々に浅くなる、正面視矩形状の配置用凹部が形成され、配置用凹部に接触部材が配置されたことにより、接触部材はその下部に向けて徐々に前方への突出量が大きくなっていてもよい。
【００３５】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００３６】
本発明のマガジンユニットでは、マガジン本体に、複数のたばこ商品が前後方向に配列した状態で収容される。このように収容された複数のたばこ商品が、マガジン本体に前後方向にスライド自在に設けられていて、線材リールにより前方に付勢されている押圧スライダによって前方に押圧される。この線材リールは、リール本体と、リール本体より引出自在な線材と、リール本体内に設けられて線材をリール本体に収納する方向へ弾性力によって付勢する弾性部材と、を有し、その弾性力により押圧スライダを前方に付勢する。このため、螺旋状に巻回された板バネの一部分が、その巻回部分から引き出されるとともに露出状態となることなく、複数のたばこ商品を前方に押圧することができる。従って、このような線材リールを用いることにより、安全性と耐久性とが良好なマガジンユニットを提供することができる。
【図面の簡単な説明】
【００３７】
上述した目的、およびその他の目的、特徴および利点は、以下に述べる好適な実施の形態、およびそれに付随する以下の図面によってさらに明らかになる。
【図１】第１の実施形態に係るマガジンユニットの内部構造を示す前部フラップが開放状態の模式的な縦断側面図である。
【図２】第１の実施形態に係るマガジンユニットの内部構造を示す前部フラップが起立した状態の模式的な縦断側面図である。
【図３】第１の実施形態に係るマガジンユニットの組立構造を示す各部の縦断側面図である。
【図４】第１の実施形態に係るマガジンユニットの構造を示す前部フラップが起立した状態の模式的な平面図である。
【図５】線材リールの内部構造を示す模式的な縦断側面図である。
【図６】第２の実施形態に係るマガジンユニットの押圧スライダを示す図であり、図６（ａ）は正面図、図６（ｂ）は側面図である。
【図７】第２の実施形態に係るマガジンユニットの押圧スライダを示す図であり、図７（ａ）は側断面図、図７（ｂ）は平面図、図７（ｃ）は下面図である。
【図８】第２の実施形態に係るマガジンユニットの線材リールを示す模式図であり、図８（ａ）は側面図、図８（ｂ）は図８（ａ）のＡ−Ａ線に沿った断面図である。
【図９】第２の実施形態に係るマガジンユニットの後部を示す平面図である。
【図１０】第２の実施形態に係るマガジンユニットの後部を示す側面図である。
【図１１】第２の実施形態に係るマガジンユニットの押圧スライダをマガジンユニットの後部にロックする動作を説明するための模式的な側断面図であり、図１１（ａ）は押圧スライダ１２０がロックされていない状態を示し、図１１（ｂ）は押圧スライダ１２０がロックされている状態を示す。
【図１２】線材リールにより押圧スライダを付勢する場合（図１２（ａ））と、渦巻き状に巻回された板バネにより押圧スライダを付勢する場合（図１２（ｂ））とで、押圧スライダの挙動が異なることを説明するための模式図である。
【図１３】第３の実施形態に係るマガジンユニットの平面図である。
【発明を実施するための形態】
【００３８】
以下、本発明の実施形態について、図面を用いて説明する。なお、すべての図面において、同様の構成要素には同一の符号を付し、適宜に説明を省略する。本実施形態に関して、前述した一従来例と同一の部分は、同一の名称を使用して詳細な説明は省略する。
【００３９】
〔第１の実施形態〕
本実施形態のマガジンユニット１００は、複数のたばこ商品ＴＰを前後方向に配列した状態で収容する。たばこ商品ＴＰは、複数の紙巻きたばこを収容している直方体のパッケージである。
【００４０】
マガジンユニット１００は、図１ないし図４に示すように、複数のたばこ商品ＴＰを前後方向に配列した状態で収容するマガジン本体１１０と、マガジン本体１１０に前後方向にスライド自在に設けられていてたばこ商品ＴＰを前方に押圧する押圧スライダ１２０と、押圧スライダ１２０を前方に付勢する線材リール１３０と、を有する。図５に示すように、線材リール１３０は、リール本体１３２と、リール本体１３２より引出自在にリール本体１３２に収納された樹脂線材（線材）１３１と、リール本体１３２内に設けられていて樹脂線材１３１をリール本体１３２に収納する方向へ弾性力によって付勢する板バネ（弾性部材）１３４と、を有し、その弾性力により押圧スライダ１２０を前方に付勢する。
【００４１】
リール本体１３２は、樹脂線材１３１をリール本体１３２に出し入れするための開口孔１３５が形成されているハウジング（ケース）である。樹脂線材１３１は、リール本体１３２の内部において、円状に巻回されることにより巻回部を形成している。その巻回部の接線方向と、リール本体１３２からの樹脂線材１３１の引き出し方向とが一致している。樹脂線材１３１は、リール本体１３２における開口孔１３５の縁部に対して非接触状態で、開口孔１３５を通してリール本体１３２から引き出されたり、開口孔１３５を通してリール本体１３２内に巻き戻されたりするようになっている。
なお、マガジンユニット１００の前後方向における線材リール１３０の位置にかかわらず、樹脂線材１３１が、リール本体１３２における開口孔１３５の縁部に対して非接触状態となるようになっていても良いし、或いは、線材リール１３０がマガジンユニット１００の前後方向における特定位置に存在しているときにのみ、樹脂線材１３１がリール本体１３２における開口孔１３５の縁部に対して非接触状態となるようになっていても良い。
【００４２】
線材リール１３０は、押圧スライダ１２０とマガジン本体１１０とを接続して押圧スライダ１２０に対して前方への付勢力を与える部材である。線材リール１３０は、マガジン本体１１０に搭載されていても、押圧スライダ１２０に搭載されていてもよい。
【００４３】
線材リール１３０の取付方向、すなわち線材リール１３０の内部における樹脂線材１３１の支持軸１３３の方向（延在方向）は、特に限定されない。たとえば、支持軸１３３の方向を上下方向としてもよく、または左右方向としてもよい。
【００４４】
本実施形態のマガジンユニット１００では、図１および図２に示すように、線材リール１３０は、押圧スライダ１２０の後部に搭載されている。樹脂線材１３１の前端はマガジン本体１１０の前端近傍に連結されており、開口孔１３５が押圧スライダ１２０の下部に位置している。そして、支持軸１３３の方向は左右方向である。
【００４５】
本実施形態のマガジンユニット１００の線材リール１３０は、押圧スライダ１２０を前方に付勢するスライダ付勢機構と、前部フラップ１４０を後方に付勢することによって常態において前部フラップ１４０を起立させるフラップ付勢機構と、を兼ねる一体の部品である。この線材リール１３０は、押圧スライダ１２０と前部フラップ１４０とを連結している。樹脂線材１３１の前端は前部フラップ１４０の軸支位置より上方に連結されている。
【００４６】
線材リール１３０は、図５に示すように、そのリール本体１３２の内部中央に形成された支持軸１３３と、リール本体１３２内に収容された板バネ（ゼンマイバネ）１３４と、を有している。板バネ１３４は、その一端部が支持軸１３３に固定され、且つ、支持軸１３３の周囲に螺旋状に（渦巻き状に）巻回されている。この板バネ１３４の先端には樹脂線材１３１の一端が連結されている。板バネ１３４は、支持軸１３３に巻回される方向の弾性力をもつ。板バネ１３４は、樹脂線材１３１をリール本体１３２内に引き込む方向へと、樹脂線材１３１を付勢している。
【００４７】
また、マガジン本体１１０の内部前端には、たばこ商品ＴＰを上方に変位させるスロープ１１４が形成されている。樹脂線材１３１はスロープ１１４の内部に挿通されている。樹脂線材１３１の経路とスロープ１１４の傾斜面とは互いに交差し、且つ、スロープ１１４は、樹脂線材１３１と干渉しない形状に形成されている。例えば、スロープ１１４には、樹脂線材１３１を通過させる開口（例えば、後述する開口孔１１２の前端部）が形成されている。
【００４８】
より詳細には、マガジン本体１１０と前部フラップ１４０とは無色透明な硬質の樹脂で形成されており、マガジン本体１１０の底板１１１には前後方向に延在する開口孔１１２が形成されている。開口孔１１２は底板１１１の表裏を貫通している。
【００４９】
押圧スライダ１２０の下部１２１は正面形状が横倒しのＨ字状に形成されており、上述のマガジン本体１１０の開口孔１１２の縁部に対してスライド自在に係合している。マガジン本体１１０の底板１１１の上面には、たばこ商品ＴＰのスライド移動を円滑とするために左右一対の突条部１１３が形成されている。
【００５０】
押圧スライダ１２０の後部には左右一対のリブ１２２が形成されており、この左右一対のリブ１２２の間に線材リール１３０が搭載されている。この線材リール１３０は、板バネ１３４を内蔵しており(図５を参照)、リール本体１３２より引出自在な線材（樹脂線材１３１）を弾性力によってリール本体１３２内に収納する。
【００５１】
線材は可撓性を有する紐（索体）である。線材の材料は特に限定されないが、安全性の観点から、実質的に弾発力を有していない柔軟な材料が好ましい。本実施形態では樹脂製の線材（樹脂線材１３１）を用いる。
【００５２】
この樹脂線材１３１は、押圧スライダ１２０の下部に形成された貫通孔１２３と、マガジン本体１１０の左右一対の突条部１１３の間隙と、を挿通されている。マガジン本体１１０の底板１１１の前端は、前上がりに傾斜したスロープ１１４として形成されており、このスロープ１１４を挿通した樹脂線材１３１が前部フラップ１４０の後面の係合部１４３に連結されている。
【００５３】
このため、突条部１１３によって支持されているたばこ商品ＴＰに樹脂線材１３１が干渉することがなく、スロープ１１４で上方に変位される最前列のたばこ商品ＴＰにも樹脂線材１３１が干渉することがない。
【００５４】
前部フラップ１４０の下端の左右には、円形の凸部１４１が形成されている。前部フラップ１４０は、この凸部１４１においてマガジン本体１１０に軸支され、マガジン本体１１０に対して揺動自在となっている。前部フラップ１４０において、この凸部１４１よりも上方の部分に対して樹脂線材１３１が連結されているので、前部フラップ１４０には、該前部フラップ１４０の上端が後方に引っ張られる向きのモーメント荷重が、線材リール１３０により与えられている。よって、前部フラップ１４０は常態において起立する。
【００５５】
この前部フラップ１４０はスロープ１１４の前端面に当接することにより、略鉛直に起立した閉状態に保持される。前述のように前部フラップ１４０は無色透明に形成されており、該前部フラップ１４０には、値札等を挿入できる上面開口のポケット１４２が形成されている。
【００５６】
上述のような構成において、本実施形態のマガジンユニット１００では、図１および図２に示すように、上面と前面とが開口しているボックス状のマガジン本体１１０に複数のたばこ商品ＴＰが前後方向に配列した状態で収容される。
【００５７】
この複数のたばこ商品ＴＰは、前後方向にスライド自在に支持されていて線材リール１３０によって前方に付勢されている押圧スライダ１２０により前方に付勢される。マガジン本体１１０の前面開口には、前部フラップ１４０が略鉛直な閉状態と前方に傾倒した開放状態とに揺動自在に、この前面開口の下端近傍において軸支されている。
【００５８】
前部フラップ１４０は閉状態に維持されるように線材リール１３０により弾性力で付勢されているので、前方に付勢されているたばこ商品ＴＰとともに開放状態となるようなことがない。
【００５９】
このため、前部フラップ１４０を開放状態として最前列のたばこ商品ＴＰを容易に取り出すことができ、しかも、たばこ商品ＴＰを取り出した後は前部フラップ１４０が迅速に閉状態となって最前列のたばこ商品ＴＰが鉛直に保持される。
【００６０】
本実施形態のマガジンユニット１００では、マガジン本体１１０に収容された複数のたばこ商品ＴＰが、マガジン本体１１０の内部に前後方向にスライド自在に支持されているとともに、これらたばこ商品ＴＰは、押圧スライダ１２０によりで前方に押圧される。なぜなら、押圧スライダ１２０は、線材リール１３０の弾性力によりリール本体１３２から引出自在に該リール本体１３２に収納される樹脂線材１３１によって、前方に付勢されているためである。
【００６１】
このため、螺旋状に巻回された板バネの一部分が、その巻回部分から引き出されるとともに露出状態となることなく、複数のたばこ商品ＴＰが前方に押圧される。本実施形態の樹脂線材１３１は可撓性を有する柔軟な紐である。そして、板バネ１３４の幅寸法は開口孔１３５の開口径よりも大きく、線材リール１３０に収容された板バネ１３４は線材リール１３０から引き出されることがない。従って、本実施形態のように線材リール１３０を用いることにより、安全性と耐久性とが良好なマガジンユニット１００を提供することができる。
【００６２】
さらに、線材リール１３０は、図５に示すように、樹脂線材１３１が出入する開口孔１３５が形成されているリール本体１３２を有し、樹脂線材１３１は、リール本体１３２の内部において、円状に巻回されて巻回部を形成し、その巻回部の接線方向と、リール本体１３２からの樹脂線材１３１の引き出し方向とが一致し、樹脂線材１３１は、リール本体１３２における開口孔１３５の縁部に対して非接触状態で、開口孔１３５を通してリール本体１３２から引き出される。
【００６３】
このため、リール本体１３２の開口孔１３５から樹脂線材１３１が円滑に出入りすることができ、樹脂線材１３１の摩耗が低減されているので、線材リール１３０の信頼性と耐久性とが良好である。
【００６４】
また、線材リール１３０のリール本体１３２は、押圧スライダ１２０の後部の左右一対のリブ１２２により挟持されている。このため、一対のリブ１２２の間からリール本体１３２を容易に脱着できるので、樹脂線材１３１が破断したような場合でも、線材リール１３０の交換が容易である。
【００６５】
しかも、上述のように、線材リール１３０は、押圧スライダ１２０を前方に付勢する機構と、前部フラップ１４０を後方に付勢する機構と、を兼ねる一体の部品として形成されている。このため、マガジンユニット１００の部品点数を削減できるので、マガジンユニット１００の生産性が良好にできる。
【００６６】
線材リール１３０は、押圧スライダ１２０の後部に搭載されているので、デッドスペースとなる押圧スライダ１２０の後部を有効に利用することができる。また、樹脂線材１３１の前端が前部フラップ１４０の軸支位置よりも上方に連結されている。このため、簡単な構造で確実に前部フラップ１４０を後方に付勢し、前部フラップ１４０を起立状態にすることができる。
【００６７】
また、マガジン本体１１０の底板１１１には左右一対の突条部１１３が形成されており、その間隙に樹脂線材１３１が挿通されているので、突条部１１３で支持されているたばこ商品ＴＰの底面に樹脂線材１３１が干渉することがない。
【００６８】
さらに、マガジン本体１１０の底板１１１の前端は、前上がりに傾斜したスロープ１１４として形成されているので、最前列のたばこ商品ＴＰは上方に変位することになり、最前列のたばこ商品ＴＰが取り出しやすくなっている。
【００６９】
そして、このスロープ１１４の内部に樹脂線材１３１が挿通されているので、最前列のたばこ商品ＴＰにも樹脂線材１３１が干渉することがない。前部フラップ１４０は無色透明で上面開口のポケット１４２が形成されているので、このポケット１４２に値札等を挿入することができる。
【００７０】
〔第２の実施形態〕
図６および図７は第２の実施形態に係るマガジンユニット２００の押圧スライダ１２０を示す図であり、このうち図６（ａ）は正面図、図６（ｂ）は側面図、図７（ａ）は側断面図、図７（ｂ）は平面図、図７（ｃ）は下面図である。
図８はマガジンユニット２００の線材リール１３０を示す模式図であり、このうち（ａ）は側面図、（ｂ）は（ａ）のＡ−Ａ線（折れ線となっている）に沿った断面図である。
図９および図１０はマガジンユニット２００の後部を示す図であり、このうち図９は平面図、図１０は側面図である。
図１１はマガジンユニット２００の押圧スライダ１２０をマガジンユニット２００の後部にロックする動作を説明するための側断面図であり、このうち（ａ）は押圧スライダ１２０がロックされていない状態を、（ｂ）は押圧スライダ１２０がロックされている状態を、それぞれ示す。
【００７１】
本実施形態に係るマガジンユニット２００は、以下に説明する点で、上記の第１の実施形態に係るマガジンユニット１００と相違する。
【００７２】
図６および図７に示すように、マガジンユニット２００の押圧スライダ１２０は、底板１１１に対して前後方向にスライド自在に連結される連結部３２０と、この連結部３２０の前端より起立するように設けられて、たばこ商品ＴＰを前方に押圧する押圧部２２０と、を有している。
【００７３】
連結部３２０は、底板１１１の開口孔１１２の左右縁部にそれぞれ形成されたガイドレール１６（図９：後述）の上面に沿って配置される左右一対の上側板状部３２１と、ガイドレール１６の下面に沿って配置される下側板状部３２２と、上側板状部３２１と下側板状部３２２とを連結する左右一対の上下連結部３２３と、を有している。
図１０に示すように、上側板状部３２１と下側板状部３２２とにより、ガイドレール１６を上下から挟み込んで保持することによって、連結部３２０が底板１１１に対して連結されている。上下連結部３２３は、開口孔１１２を上下に貫通するように配置されている。
このように連結された状態で、連結部３２０、ひいては押圧スライダ１２０の全体が、開口孔１１２に沿って底板１１１に対して前後にスライド移動可能となっている。
【００７４】
図９および図１０に示すように、底板１１１には、押圧スライダ１２０を底板１１１に対して着脱するための着脱用開口１１１ｃが形成されている。この着脱用開口１１１ｃは、開口孔１１２の後方に隣接して、各開口孔１１２と連続的に形成されている。着脱用開口１１１ｃは、連結部３２０の下側板状部３２２を上から下、又は下から上へと通過させることが可能な寸法に形成されている。
マガジン本体１１０に対して押圧スライダ１２０を取り付ける際には、連結部３２０の下側板状部３２２を着脱用開口１１１ｃの上側から下側へと通過させた後、連結部３２０を前方に移動させることにより、連結部３２０を底板１１１に対して連結することができる。マガジン本体１１０から押圧スライダ１２０を取り外す場合は、取り付ける場合とは逆の動作を行う。
【００７５】
図６および図７に示すように、押圧部２２０は、例えば、連結部３２０の前端部より上方に起立している下部起立部２２１と、この下部起立部２２１の上端部より前方（例えば前方斜め上方）に突出している前方突出部２２２と、この前方突出部２２２の突出方向における先端部より上方に起立している上部起立部２２３と、を有している。
上部起立部２２３の前面は、平坦に形成され、直立している。
【００７６】
押圧部２２０の前面下部（具体的には上部起立部２２３の前面下部）には、後方に向けて窪んだ指掛け用の凹部２７が形成されている。凹部２７は、指の腹にフィットする形状に形成されている。例えば、凹部２７は、上下方向中央部に向けて徐々に深く窪んでいる。
この凹部２７をマガジンユニット２００の前方から指で押したり、マガジンユニット２００の後方から指で引っ張ったりすることによって、押圧スライダ１２０を後方に移動させることができる。
この凹部２７には、上下方向に繰り返される凹凸加工が施されている。これにより、上下方向の摩擦が大きくなっている。
その凹凸加工の具体的な一例は、水平方向に延在する複数条の溝２８を、互いに上下方向に離間して形成することである。或いは、凹部２７がその上下方向中央部に向けて徐々に深く窪むように、凹部２７を階段状に形成しても良い。
凹部２７は、連結部３２０の前端部よりも前方に位置している。
なお、凹部２７の左右両側部には、凹部２７の成型を容易にするために、上部起立部２２３を前後に貫通する開口部２９が形成されている。
【００７７】
押圧部２２０の上部起立部２２３において、凹部２７よりも上方の部分の両側部には、指掛け用の切欠形状部２３がそれぞれ形成されている。正面視において、上部起立部２２３における切欠形状部２３の形成箇所は、くびれている。よって、左右の切欠形状部２３を指で摘んで押圧スライダ１２０を後方に向けて引っ張ったり押したりすることにより、押圧スライダ１２０を後方に移動させることができる。
【００７８】
左右の補強板２２の外面における後部には、指掛け用のリブ２５が、それぞれ上下方向に延在するように形成されている。よって、左右のリブ２５を指で摘んで押圧スライダ１２０を後方に向けて引っ張ることにより、押圧スライダ１２０を後方に移動させることができる。
【００７９】
押圧部２２０の前面（具体的には上部起立部２２３の前面）の両側部には、当該前面よりも摩擦係数が大きい材質により構成され、たばこ商品ＴＰに接触する接触部材７０がそれぞれ設けられている。
接触部材７０は、凹部２７の左右にそれぞれ配置されている。
【００８０】
押圧スライダ１２０は、例えば、その全体が樹脂により一体形成されている。押圧スライダ１２０の材質としては、例えば、ＰＯＭ（Ｐｏｌｙｏｘｙｍｅｔｈｙｌｅｎｅ、Ｐｏｌｙａｃｅｔａｌ）などが挙げられる。
接触部材７０は、例えば、押圧スライダ１２０の材質よりも軟質の、シリコンゴム、ポリウレタン或いはその他の合成ゴムにより構成されている。
【００８１】
接触部材７０は、上下方向に延在している。
接触部材７０は、その下部に向けて徐々に、押圧部２２０の上部起立部２２３の前面からの前方への突出量が大きくなっている。
接触部材７０は、上下に細長く、前後方向に薄い、正面視矩形状の平板形状に形成されている。上部起立部２２３の前面には、上下に細長く、下方に向けて徐々に浅くなる、正面視矩形状の配置用凹部２２５が形成されている。配置用凹部２２５に接触部材７０が配置されたことにより、接触部材７０はその下部に向けて徐々に前方への突出量が大きくなっている。なお、左右の接触部材７０の突出量は、例えば、互いに等しい。
例えば、接触部材７０の上端部の前面は、上部起立部２２３の前面と面一となっている。
【００８２】
接触部材７０が設けられたことにより、たばこ商品ＴＰに対する押圧部２２０の密着性が向上し、押圧部２２０によりたばこ商品ＴＰを後方から安定的に支持し、たばこ商品ＴＰをしっかりと前方に押し出すことが可能となっている。
【００８３】
ここで、接触部材７０は、その上部に向けて徐々に、前方への突出量が小さくなっているので、たばこ商品ＴＰを押圧部２２０の前側の領域にスムーズに装填することができる。特に、接触部材７０の上端部の前面が、上部起立部２２３の前面と面一となっているので、たばこ商品ＴＰの装填時に、接触部材７０の上端部に対してたばこ商品ＴＰが引っ掛かりにくい。ただし、接触部材７０は、その下部に向けて徐々に、前方への突出量が大きくなっていることによって、たばこ商品ＴＰをしっかりと前方に押し出すことができる。
このように、たばこ商品ＴＰの装填のしやすさと、押圧部２２０によるしっかりとしたたばこ商品ＴＰの押し出しとを両立することができる。
【００８４】
押圧スライダ１２０において、下側板状部３２２の上面側、且つ、押圧部２２０の背面側の部位には、線材リール１３０を保持するリール保持室２１が形成されている。
押圧スライダ１２０は、上側板状部３２１より上方に起立するとともに、押圧部２２０より後方に起立する左右一対の補強板２２を有している。
リール保持室２１の左右端部は一対の補強板２２により画定され、リール保持室２１の下端部は下側板状部３２２により画定されている。リール保持室２１の上端部は、補強板２２の間に架設された保持室天板２４により画定されている。
リール保持室２１は、後方に向けて開放した凹部形状となっている。
リール保持室２１には、線材リール１３０が装着されている。
【００８５】
図８に示すように、線材リール１３０は、左右方向に薄い扁平形状のリール本体１３２と、軸方向が左右方向となるようにリール本体１３２の中央部に固定された軸部５５と、この軸部５５の軸周りにおいて回転自在にリール本体１３２内に設けられ、樹脂線材１３１を巻き取る円筒形状の巻ドラム５７と、巻ドラム５７の内側に設けられた板バネ１３４と、樹脂線材１３１と、留め具５２と、を有している。なお、図８（ｂ）においては、樹脂線材１３１、板バネ１３４および留め具５２を図示していない。
【００８６】
板バネ１３４は、その一端部が軸部５５に固定され、且つ、軸部５５の周囲に渦巻き状に巻回されている。その巻回の方向は、図８（ａ）において時計回りである。板バネ１３４の他端部は、巻ドラム５７に固定されている。
巻ドラム５７は、樹脂線材１３１を巻き取る円筒形状の胴体部５７ａと、胴体部５７ａの左右両端にそれぞれ形成されたフランジ部５７ｂと、を有している。
樹脂線材１３１は、その一端部が巻ドラム５７の胴体部５７ａに固定され、且つ、胴体部５７ａの周囲に巻回されている。樹脂線材１３１の巻回方向は、板バネ１３４の巻回方向と同方向である。
樹脂線材１３１の他端側の部分は、リール本体１３２に形成された開口孔１３５を介して、リール本体１３２の外部へ引き出されている。
【００８７】
板バネ１３４は、巻ドラム５７を一方向（図７（ａ）および図８（ａ）において反時計回り）に回転させる方向へと、つまり、樹脂線材１３１を巻ドラム５７の胴体部５７ａに巻き取ることによって該樹脂線材１３１をリール本体１３２内に引き込む方向へと、巻ドラム５７を弾性力によって付勢している。樹脂線材１３１をリール本体１３２から引き出すことにより、巻ドラム５７は、板バネ１３４の弾性力に抗して、上記一方向に対する反対方向（図７（ａ）および図８（ａ）において時計回り）へと回転する。
【００８８】
樹脂線材１３１は、押圧スライダ１２０の前部の下部に形成された貫通孔１２３（図６（ａ）、図７（ａ））を介して、リール保持室２１より押圧スライダ１２０の前方に引き出されている。
樹脂線材１３１の他端（先端）には、留め具５２が取り付けられている。
留め具５２は、前部フラップ１４０の係合部１４３（図１）に対し、係止されることで固定されている。係合部１４３は、開口孔１３５および貫通孔１２３の正面（前方）に配置されている。
このため、線材リール１３０は、板バネ１３４の付勢力によって、押圧スライダ１２０を前方に引っ張っている（付勢している）。
この引っ張り力（付勢力）により、押圧スライダ１２０の押圧部２２０が最後尾のたばこ商品ＴＰの背面を前方に押すようになっている。
先頭のたばこ商品ＴＰがマガジン本体１１０から取り出されると、押圧スライダ１２０は、線材リール１３０の付勢力によって残りのたばこ商品ＴＰを前方に移動させる。
【００８９】
ここで、胴体部５７ａの横幅（左右幅）、すなわち、左右のフランジ部５７ｂどうしの対向間隔は、樹脂線材１３１の径の２倍以上に設定されている。そして、樹脂線材１３１が胴体部５７ａに巻き取られた際に、樹脂線材１３１が左右方向に並ぶように巻回されることにより、樹脂線材１３１の巻取径の増大を抑制できる。これにより、胴体部５７ａに対する樹脂線材１３１の巻取量の変化に応じた（前後方向における押圧スライダ１２０の位置の変化に応じた）、樹脂線材１３１による押圧スライダ１２０の引っ張り方向の変化を抑制し、押圧スライダ１２０の挙動を安定化させることができる。
なお、板バネにおいて、その巻回部分から引き出された部分が、マガジンユニットの前端部と押圧スライダとの間に亘って延在する構造の場合、板バネの巻取径の変化に応じて、板バネによる押圧スライダ１２０の引っ張り方向が大きく変化し、押圧スライダ１２０の挙動が不安定となる懸念がある。
【００９０】
底板１１１において、開口孔１１２の左右の縁部は、それぞれ、押圧スライダ１２０が前後移動する際に該押圧スライダ１２０をガイドするガイドレール１６を構成している。
各ガイドレール１６は、底板１１１の上面より上方に起立し、前後方向に延在する突条部１７を含んで構成されている。
【００９１】
更に、各ガイドレール１６の外方位置には、上記の突条部１１３がそれぞれ形成されている。突条部１１３の高さ（上下寸法）は、ガイドレール１６の突条部１７のそれよりも大きい。このため、突条部１１３の頂点の方が、突条部１７のそれよりも高い鉛直位置に配置されている。
たばこ商品ＴＰは、これら左右一対の突条部１１３によって支持される。
【００９２】
なお、樹脂線材１３１は、突条部１１３上に支持されるたばこ商品ＴＰの下端よりも低い位置において前後方向に延在している。このため、突条部１１３により支持されるたばこ商品ＴＰと樹脂線材１３１とが互いに干渉しないようになっている。
【００９３】
マガジン本体１１０は、その下端部より下方に突出するブレード形状の複数の突起部１９を有している。突起部１９は、例えば、マガジン本体１１０の左端部と右端部において、それぞれ前後に離間して一対ずつ設けられている。突起部１９は、例えば、マガジンユニット１００が収納されるたばこ陳列システムのシステムフレームの底板に形成された位置決め用の溝などに対して係合する。
【００９４】
ここで、以下に説明するロック機構によって、押圧スライダ１２０をマガジン本体１１０の後部において該マガジン本体１１０に対してロック状態とし、押圧スライダ１２０の前進を規制することができるようになっている。
【００９５】
このロック機構は、底板１１１において、開口孔１１２の後端部の左右縁部にそれぞれ形成されたロック部１１１ｂを有している。ロック部１１１ｂは、底板１１１の上面に形成された段差面である。底板１１１の上面において、ロック部１１１ｂよりも前側の部分が、ロック部１１１ｂよりも後側の部分よりも高くなっている。
押圧スライダ１２０を線材リール１３０の付勢に抗して後方に移動させて、左右一対の上側板状部３２１の前端面３２１ａをそれぞれ左右のロック部１１１ｂに係止させることにより、押圧スライダ１２０をマガジン本体１１０の後部においてロック状態とすることができる（図１１（ｂ））。つまり、底板１１の後部には、連結部３２０において底板１１の上面に沿ってスライド移動する部位である上側板状部３２１を係止させることによって、押圧スライダ１２０を前方移動が規制されたロック状態とするロック部１１１ｂが形成されている。
【００９６】
底板１１１において、ロック部１１１ｂよりも後側の部分は、その周囲の部分よりも上下方向厚みが薄い薄肉部１１１ａとなっている。これにより、薄肉部１１１ａの前端位置に、段差面であるロック部１１１ｂが形成されている。なお、ロック部１１１ｂは、突条部１７の後端面も含む。
【００９７】
マガジン本体１１０にたばこ商品ＴＰを搭載するには、押圧スライダ１２０をマガジン本体１１０の後部に向けて移動させ、押圧スライダ１２０と前部フラップ１４０との間隔を広げ、その間隔にたばこ商品ＴＰを搭載する。
押圧スライダ１２０をマガジン本体１１０の後部に対してロック状態とすることにより、押圧スライダ１２０の前進を手で抑止しなくても、マガジン本体１１０にたばこ商品ＴＰを搭載することができる。
【００９８】
図１２（ｂ）は、押圧スライダ１２０が、線材リール１３０ではなく渦巻き状の板バネ５３４によって前方に付勢される場合の、押圧スライダ１２０の挙動を示す模式図である。
図１２（ｂ）において、軸部５５は補強板２２に取り付けられているものとする。板バネ５３４は、その一端部が軸部５５に固定され、且つ、該軸部５５の周囲に渦巻き状に巻回されている。板バネ５３４の他端は、マガジンユニットの前端部に固定されている。つまり、板バネ５３４の一部分が、板バネ５３４の巻回部分から引き出され且つ露出した状態となって、マガジンユニットの前端部から押圧スライダ１２０に亘って延在している。
【００９９】
図１２（ｂ）の構造の場合、板バネ５３４は、その巻回部分から引き出された部分を巻回部分に巻き取る方向の弾性力を持つ。このため、板バネ５３４は、図１２（ｂ）に矢印Ｂで示すように、押圧スライダ１２０を前傾させる方向の力を押圧スライダ１２０に与える。
従って、図１２（ｂ）の構造の場合、押圧スライダ１２０をマガジン本体１１０の後部に移動させる自然な動作によって、上側板状部３２１の前端面３２１ａをロック部１１１ｂにロックさせやすい。
【０１００】
一方、本実施形態に係るマガジンユニット２００の場合、線材リール１３０により押圧スライダ１２０を前方に付勢する。この場合、板バネ１３４は、その弾性力によって押圧スライダ１２０を前傾させるのではなく、巻ドラム５７を（図１２（ａ）において反時計回りに）回転させる。そして、巻ドラム５７は、樹脂線材１３１を後方へほぼ真っ直ぐに引っ張る。
よって、押圧スライダ１２０は、図１２（ａ）に矢印Ｃで示すように、線材リール１３０によって、ほぼ真正面に付勢される。
このため、押圧スライダ１２０をマガジン本体１１０の後部に移動させた際に、上側板状部３２１の前端面３２１ａをロック部１１１ｂにロックされにくいことがある。
【０１０１】
このように、押圧スライダ１２０をマガジン本体１１０の後部において該マガジン本体１１０に対してロック状態にしにくい現象が発生することは、押圧スライダ１２０を前方へ付勢するために線材リール１３０を用いる構造に特有の課題であると言える。
【０１０２】
これに対し、本実施形態では、上部起立部２２３の前面に、指掛け用の凹部２７が形成されている。よって、この凹部２７を前方から指で押したり、或いは後方から指で引いたりすることで、押圧スライダ１２０を後部に向けて移動させることができる。
この凹部２７は、上部起立部２２３の下部に位置しているので、凹部２７を指で押す動作、或いは指で引く動作によって、スムーズに、押圧スライダ１２０を前傾させて、ロック状態にすることができる。
特に、上側板状部３２１の前端面がロック部１１１ｂの位置に達するまで後方に移動した段階で、凹部２７に下向きに力を加えることによって、よりスムーズに、押圧スライダ１２０をロック状態にすることができる。
特に、凹部２７は、後方に向けて窪んでいるので、凹部２７の下部を指で押したり引いたりする際に、容易に、凹部２７に下向きに力を加えることができる。
凹部２７には、上下方向の摩擦を水平方向の摩擦よりも大きくさせる凹凸加工が施されているので、凹部２７に対し、下向きの力を効率よく伝達させることができる。
凹部２７は、連結部３２０の前端部よりも前方に位置しているので、凹部２７に対して軽い力で下向きの力を加えることによって、容易に、押圧スライダ１２０を前傾させることができる。
【０１０３】
なお、押圧部２２０において、凹部２７よりも上方の部分の両側部には、指掛け用の切欠形状部２３がそれぞれ形成されている。よって、例えば、上側板状部３２１の前端面がロック部１１１ｂの位置に達するまでは、切欠形状部２３に指を掛けて押圧スライダ１２０を後方に移動させ、その後、凹部２７を指で押したり引いたりすることにより、押圧スライダ１２０を前傾させる動作を行うこともできる。
また、左右の補強板２２の外面における後部には、それぞれ指掛け用のリブ２５が形成されている。よって、例えば、上側板状部３２１の前端面がロック部１１１ｂの位置に達するまでは、リブ２５に指を掛けて押圧スライダ１２０を後方に移動させ、その後、凹部２７を指で押したり引いたりすることにより、押圧スライダ１２０を前傾させる動作を行うこともできる。
【０１０４】
以上のような第２の実施形態によれば、第１の実施形態と同様の効果が得られる他、押圧スライダ１２０の押圧部２２０の前面下部には、後方に向けて窪んだ指掛け用の凹部２７が形成されているので、凹部２７を指で押す動作、或いは指で引く動作によって、スムーズに、押圧スライダ１２０を前傾させて、ロック状態にすることができる。
【０１０５】
〔第３の実施形態〕
図１３は第３の実施形態に係るマガジンユニット３００の平面図である。
【０１０６】
本実施形態に係るマガジンユニット３００のマガジン本体１１０の底板１１１には、複数（例えば３つ）の開口孔１１２が互いに並列に形成されている。そして、各開口孔１１２の縁部に対し、それぞれ押圧スライダ１２０が取り付けられている。すなわち、本実施形態の場合、複数（例えば３つ）の押圧スライダ１２０がそれらの移動方向が並列となるように配置されている。また、各押圧スライダ１２０の各々に対応して、個別に線材リール１３０が設けられている。押圧スライダ１２０と線材リール１３０は、第１の実施形態または第２の実施形態の構造である。
【０１０７】
本実施形態に係るマガジンユニット３００は、例えば、たばこのカートン６０の搭載用である。図１３において、カートン６０は一点鎖線で示している。
カートン６０は、複数の紙巻きたばこを収容している直方体のパッケージを、複数個（通常１０個）収容している。なお、マガジンユニット３００には、パーセルを搭載することもできる。
マガジン本体１１０の内部空間の横幅は、カートン６０の長手寸法に対応している。カートン６０は、その長手方向がマガジンユニット３００の左右方向に延在するように、マガジン本体１１０に搭載される。
【０１０８】
各押圧スライダ１２０は、互いに独立的に、前後に移動可能となっている。
これら複数の押圧スライダ１２０の押圧部２２０は、協働して、最後尾のカートン６０の背面を前方に押す。
【０１０９】
以上のような第３の実施形態によれば、第１の実施形態または第２の実施形態と同様の効果が得られる。
また、マガジン本体１１０に複数の押圧スライダ１２０が設けられ、各押圧スライダ１２０の各々に対応して個別に線材リール１３０が設けられている。このため、複数のリール５０による付勢力を合算した付勢力によって、カートン６０を前方に押すことができるので、押圧スライダ１２０及び線材リール１３０が１つだけの場合と比べて、カートン６０を前方に押す力を十分に確保することができるとともに、複数の押圧スライダ１２０によりカートン６０を左右にバランスの取れた力で前方に押すことができる。よって、カートン６０の挙動の左右非対称性を抑制することが可能となり、マガジン本体１１０内においてカートン６０を整然と整列させることができる。
【０１１０】
なお、本発明は本実施形態に限定されるものではなく、その要旨を逸脱しない範囲で各種の変形を許容する。例えば、上記形態では樹脂線材１３１の前端が前部フラップ１４０の軸支位置より上方に連結されていることで、簡単な構造で確実に前部フラップ１４０を後方に付勢できることを例示した。
【０１１１】
しかし、前部フラップ１４０を凸部１４１ではなく回動軸(図示せず)で支持し、樹脂線材１３１を回動軸の上方から前方へと当該回動軸に巻回し、樹脂線材１３１の先端を回動軸に固定するか、或いは前部フラップ１４０における回動軸よりも下側の部分に固定しておくことによっても、前部フラップ１４０を後方に付勢することができる。
【０１１２】
この出願は、２０１１年３月２２日に出願された日本出願特願２０１１−６３３５８号、並びに、２０１１年９月７日に出願された日本出願特願２０１１−１９５３１０号を基礎とする優先権を主張し、その開示の全てをここに取り込む。
以下、参考形態の例を付記する。
１．複数のたばこ商品を前後方向に配列した状態で収容するマガジン本体と、
前記マガジン本体に前後方向にスライド自在に設けられていて前記たばこ商品を前方に押圧する押圧スライダと、
リール本体と、前記リール本体より引出自在に前記リール本体に収納された線材と、前記リール本体内に設けられ、前記線材を前記リール本体に収納する方向へ弾性力によって付勢する弾性部材と、を有し、前記弾性力により前記押圧スライダを前方に付勢する線材リールと、
を有するマガジンユニット。
２．前記リール本体には、前記線材が出入する開口孔が形成され、
前記線材は、前記リール本体の内部において、円状に巻回されることにより巻回部を形成し、
前記巻回部の接線方向と、前記リール本体からの前記線材の引き出し方向とが一致し、
前記線材は、前記リール本体における前記開口孔の縁部に対して非接触状態で、前記開口孔を通して前記リール本体から引き出される１．に記載のマガジンユニット。
３．前記線材リールは、前記リール本体内に回転自在に設けられ、前記線材を巻き取る巻ドラムを有し、
前記弾性部材は、前記線材を巻き取る回転方向に前記巻ドラムを付勢している１．または２．に記載のマガジンユニット。
４．前記線材リールは、前記押圧スライダに搭載されていて前記線材の前端が前記マガジン本体の前端近傍に連結されている１．ないし３．の何れか一つに記載のマガジンユニット。
５．前記線材リールは、前記押圧スライダの後部に搭載されている４．に記載のマガジンユニット。
６．前記リール本体には、前記線材が出入する開口孔が形成され、
前記線材は、前記リール本体の内部において、円状に巻回されることにより巻回部を形成し、
前記巻回部の接線方向と、前記リール本体からの前記線材の引き出し方向とが一致し、
前記線材は、前記リール本体における前記開口孔の縁部に対して非接触状態で、前記開口孔を通して前記リール本体から引き出され、
前記開口孔が前記押圧スライダの下部に位置している５．に記載のマガジンユニット。
７．前記マガジン本体の内部前端には、前記たばこ商品を上方に変位させるスロープが形成されており、
前記線材は、前記スロープの内部に挿通されている１．ないし６．の何れか一つに記載のマガジンユニット。
８．前記マガジン本体の底板上面には、前記たばこ商品を支持する左右一対の突条部が形成されており、
前記線材は、左右の前記突条部の間隙に挿通されている１．ないし７．の何れか一つに記載のマガジンユニット。
９．前記押圧スライダは、
前記マガジン本体の底板に対し前後方向にスライド自在に連結された連結部と、
前記連結部より上方に起立し、前記たばこ商品を前方に押圧する押圧部と、
を有し、
前記底板の後部には、前記押圧スライダにおいて前記底板の上面に沿ってスライド移動する部位を係止させることによって、前記押圧スライダを前方移動が規制されたロック状態とするロック部が形成され、
前記押圧部の前面下部には、後方に向けて窪んだ指掛け用の凹部が形成されていることを特徴とする１．ないし８．の何れか一つに記載のマガジンユニット。
１０．前記凹部が前記連結部の前端部よりも前方に位置していることを特徴とする９．に記載のマガジンユニット。
１１．前記凹部には、上下方向に繰り返される凹凸加工が施されていることを特徴とする９．又は１０．に記載のマガジンユニット。
１２．前記凹凸加工は、それぞれ水平方向に延在し、互いに上下方向に離間している複数条の溝である１１．に記載のマガジンユニット。
１３．前記押圧部において、前記凹部よりも上方の部分の両側部には、指掛け用の切欠形状部がそれぞれ形成されていることを特徴とする９．乃至１２．の何れか一つに記載のマガジンユニット。
１４．前記押圧部の前面における両側部には、当該前面よりも摩擦係数が大きい材質により構成され、上下方向に延在し、前記たばこ商品に接触する接触部材がそれぞれ設けられていることを特徴とする９．乃至１３．の何れか一つに記載のマガジンユニット。
１５．前記接触部材は、その下部に向けて徐々に、前記押圧部の前面から前方への突出量が大きくなっていることを特徴とする１４．に記載のマガジンユニット。
１６．前記接触部材は、上下に細長く、前後方向に薄い、正面視矩形状の平板形状に形成され、
前記押圧部の前面には、上下に細長く、下方に向けて徐々に浅くなる、正面視矩形状の配置用凹部が形成され、
前記配置用凹部に前記接触部材が配置されたことにより、前記接触部材はその下部に向けて徐々に前方への突出量が大きくなっていることを特徴とする１５．に記載のマガジンユニット。
【図１】
0005952291.tif 000002
【図２】
0005952291.tif 000003
【図３】
0005952291.tif 000004
【図４】
0005952291.tif 000005
【図５】
0005952291.tif 000006
【図６】
0005952291.tif 000007
【図７】
0005952291.tif 000008
【図８】
0005952291.tif 000009
【図９】
0005952291.tif 000010
【図１０】
0005952291.tif 000011
【図１１】
0005952291.tif 000012
【図１２】
0005952291.tif 000013
【図１３】
0005952291.tif 000014